(57)【特許請求の範囲】
【請求項１】
導電性のコンタクトと、該コンタクトを組み付けたインシュレータとを含むコネクタにおいて、前記コンタクトは第１の接続対象物と接続する第１の接点部と、第２の接続対象物と接続する第２の接点部と、前記第１及び第２の接点部間に位置する支点部とを有し、
前記インシュレータは前記コンタクトを収容するよう互いに組み合わせた二体からなり、前記インシュレータには前記支点部を遊嵌状態に保持するへこみ部が形成されており、前記支点部の板幅寸法が前記支点部を除く前記コンタクトの板幅寸法よりも広い板幅寸法となっていることを特徴とするコネクタ。
【請求項２】
導電性のコンタクトと、該コンタクトを組み付けたインシュレータとを含むコネクタにおいて、前記コンタクトがクリップ形状に形成されており、前記コンタクトは第１の接続対象物と接続する一端部側に形成した第１の接点部と、前記第２の接続対象物と接続するよう前記コンタクトの前記クリップ形状の曲げ部分である曲げ部の近傍に形成した第２の接点部と、前記第１及び第２の接点部間に位置する支点部と、前記インシュレータに圧入固定される保持部とを有し、前記第１及び第２の接続対象物の少なくとも一方と前記コンタクトとを接続した際に前記支点部が前記保持部に当接することを特徴とするコネクタ。
【請求項３】
請求項１又は２記載のコネクタにおいて、前記コンタクト及び前記インシュレータは、前記第２の接続接続対象物を前記第２の接点部に接続するときに、前記第１の接点部の移動を規制するよう前記第１の接点部の近傍で互いに当接しているストッパー手段を有していることを特徴とするコネクタ。
【請求項４】
請求項３記載のコネクタにおいて、前記コンタクト及び前記インシュレータは、前記第１の接続接続対象物を前記第１の接点部に接続するときに、前記第２の接点部の移動を規制するよう前記第２の接点部の近傍で互いに当接しているストッパー手段を有していることを特徴とするコネクタ。
【発明の詳細な説明】
【０００１】
【発明の属する技術分野】
本発明は、二つの接続対象物同士を導通接続するコンタクトを有するコネクタに属する。
【０００２】
【従来の技術】
従来のコネクタは、図１６及び図１７に示すように、絶縁材料からなるコネクタボディ１１１と、板状金属材料からなる複数の接触端子１１３，１１３′とを有している。
【０００３】
コネクタボディ１１１は、対向する二つの長辺面を二つの開口部１１１ａ，１１１ｂと、開口部１１１ａ，１１１ｂと垂直な二面に対向して設けられた複数の溝１１１ｇとを有している。接触端子１１３，１１３′は、中間部分がコネクタボディ１１１の内部で固定されている保持部１１３ａ，１１３ａ′と、保持部１１３ａ，１１３ａ′の両側で二つの開口部１１１ａ，１１１ｂの方向へそれぞれ延びかつ二つの開口部１１１ａ，１１１ｂからそれぞれ挿入するプリント配線板１１８ａ，１１８ｂの弾性によって接触を行うばね性部１１４ａ，１１４ｂ，１１４ａ′，１１４ｂ′とを有している。プリント配線板１１８ａ，１１８ｂの両面には、ばね性部１１４ａ，１１４ｂ，１１４ａ′，１１４ｂ′に接触するパターン１２６ａ，１２６ｂを有している。
【０００４】
二つの開口部１１１ａ，１１１ｂからそれぞれ挿入したプリント配線板１１８ａ，１１８ｂは、ばね性部１１４ａ，１１４ｂ，１１４ａ′，１１４ｂ′を押し広げつつパターン１２６ａ，１２６ｂがばね性部１１４ａ，１１４ｂ，１１４ａ′，１１４ｂ′に接触する。この際、接触端子１１３，１１３′の保持部１１３ａ，１１３ａ′は、コネクタボディ１１１に固定されているので、プリント配線板１１８ａ，１１８ｂによる大きな挿入力によって変位して接触する（例えば、実開昭６３−１２９９８２号公報を参照）。
【０００５】
【発明が解決しようとする課題】
しかしながら、プリント配線板１１８ａ，１１８ｂをばね性部１１４ａ，１１４ｂ，１１４ａ′，１１４ｂ′間に挿入するときの挿入力は、非常に大きいため挿入力を低い力に下げることができないという問題がある。
【０００６】
また、ばね性部１１４ａ，１１４ｂ，１１４ａ′，１１４ｂ′は、コネクタボディ１１１に固定されているので、バネを有効に使うことができず、全体形状を短くできないという問題がある。
【０００７】
それ故に本発明の課題は、接続対象物が挿入される時の挿入力を低い力に下げることができ、かつ形状全体を短くできるコネクタを提供することにある。
【０００８】
【課題を解決するための手段】
本発明によれば、導電性のコンタクトと、該コンタクトを組み付けたインシュレータとを含むコネクタにおいて、前記コンタクトは第１の接続対象物と接続する第１の接点部と、第２の接続対象物と接続する第２の接点部と、前記第１及び第２の接点部間に位置する支点部とを有し、前記インシュレータは前記コンタクトを収容するよう互いに組み合わせた二体からなり、前記インシュレータは前記支点部を遊嵌状態に保持するへこみ部が形成されており、前記支点部の板幅寸法が前記支点部を除く前記コンタクトの板幅寸法よりも広い板幅寸法となっていることを特徴とするコネクタが得られる。
【０００９】
【作用】
本発明のコネクタでは、第１の接続対象物がインシュレータへ嵌合した状態で、第２の接続対象物をインシュレータへ嵌合させたときには、第２の接点部の変位が支点部によって第１の接点部の接触力を強めるように働く。
【００１０】
ストッパー手段は、第１若しくは第２の接続対象物だけを嵌合した状態で第２の接点部が移動し難いようにしている。コンタクトの支点部は、コンタクトからの反力を受けるようになっている。第１の接点部は、第１の接続対象物によって互いに離れる方向である外側に押し広げられる。
【００１１】
ここで、支点部より下の第２の接点部は、互いに近づく方向である内側に移動しようとするがストッパー手段が互いに干渉するため、支点部の移動は僅かである。第２の接点部は、第２の接続対象物によって外側に押し広げられる。このとき、第１の接点部の接触力は大きくなる。したがって、第１の接点部の接触力は従来のコネクタの接触力より大幅に減少させた設定となる。よって、第１の接続対象物の挿入時における挿入力を大幅に減少する。
【００１２】
また、コンタクトは、インシュレータへの圧入固定部がないようにも構成できるので、コンタクト全体をバネとして働かせることができるため、コネクタを嵌合方向に短く構成できる。
【００１３】
【発明の実施の形態】
以下、本発明のコネクタの第１の実施の形態例を説明する。図１乃至図４は、第１の実施の形態例におけるカードエッジタイプのコネクタを示している。
【００１４】
図１乃至図４を参照して、コネクタは、一対が対向して配置されている導電性のコンタクト１０，１０′と、一対のコンタクト１０，１０′の複数組みを並列して所定間隔に組み付け配置したインシュレータ２０，３０とを有している。コンタクト１０，１０′は、導電板を長板形状に打ち抜いた後、曲げ加工を施すことによって作られている。
【００１５】
一方のコンタクト１０の長手方向における一方端部付近には、図３に示した回路基板のような第１の接続対象物７０の導電部（導電パターン）と接続するための第１の接点部１１が形成されている。一方のコンタクト１０の長手方向における他方端部付近には、図４に示した回路基板のような第２の接続対象物８０の導電部と接続するための第２の接点部１２が形成されている。このコンタクト１０の長手方向の中間部分には、支点部１３が形成されている。
【００１６】
さらに、一方のコンタクト１０の長手方向における一方端部には、第１のストッパー部１４が形成されている。一方のコンタクト１０の長手方向における他方端部には、第２のストッパー部１５が形成されている。
【００１７】
他方のコンタクト１０′の長手方向における一方端部付近には、図３に示した第１の接続対象物７０と接続するための第１の接点部１１′が形成されている。他方のコンタクト１０′の長手方向における他方端部近傍には、図４に示した第２の接続対象物８０と接続するための第２の接点部１２′が形成されている。このコンタクト１０′の長手方向の中間部分には、支点部１３′が形成されている。さらに、他方のコンタクト１０′の長手方向における他方端部には、第２のストッパー部１５′が形成されている。
【００１８】
第１の実施の形態例におけるコネクタでは、図１に示したように、コンタクト１０，１０′が同じ形状に作られている。そして、コンタクト１０，１０′がインシュレータ２０，３０に組み付けられている状態では、第１の接点部１１，１１′間の対向間隔、及び第２の接点部１２，１２′の対向間隔が略同等の寸法間隔で配置されており、対向しているコンタクト１０，１０′間では最も狭い間隔となっている。
【００１９】
また、支点部１３，１３′間の対向間隔は、第１の接点部１１，１１′間の対向間隔、及び第２の接点部１２，１２′の対向間隔よりもかなり大きい間隔の寸法で配置されている。さらに、第１及び第２のストッパー部１４，１４′及び１５，１５′間におけるそれぞれの対向間隔は、支点部１３，１３′間の対向間隔と略同等の寸法となっている。
【００２０】
図２によって明らかなように、コンタクト１０，１０′の板幅寸法は、支点部１３，１３′のそれぞれにおける板幅寸法が最も広い幅寸法であり、第１のストッパー部１４，１４′、第２のストッパー部１５，１５′のそれぞれの板幅寸法が、第１及び第２の支点部１３，１３′の板幅寸法よりも若干狭い幅寸法となっている。
【００２１】
また、第１の接点部１１，１１′を有する支点部１３，１３′から第１のストッパー部１４，１４′までの板幅寸法は、第１のストッパー部１４，１４′の板幅寸法よりも狭い板幅寸法となっている。同様に、第２の接点部１２，１２′を有する支点部１３，１３′から第２のストッパー部１５，１５′までの板幅寸法は、第２のストッパー部１５，１５′の板幅寸法よりも狭い板幅寸法となっている。
【００２２】
ここで、コンタクト１０，１０′の支点部１３，１３′端から第１のストッパー部１４，１４′までは、バネ性をもって変位可能な第１の接触バネ部分Ａ，Ａ′を構成している。また、コンタクト１０，１０′の支点部１３，１３′端から第２のストッパー部１５，１５′までは、バネ性をもって変位可能な第２の接触バネ部分Ｂ，Ｂ′を構成している。
【００２３】
一方のインシュレータ２０は、図１に示したように、支点部１３，１３′の一方側端部と、第１の接触バネ部分Ａ，Ａ′とを収容し、前面に第１の接続対象物７０を挿抜可能に受け入れる開口部２０ａ及びこの開口部２０ａとは反対側の対向側開口部２０ｂを含む大きな貫通穴となっている第１の収容部２１を有している。
【００２４】
一方のインシュレータ２０には、第１の収容部２１において、第１の接触バネ部分Ａ，Ａ′が変位することによって第１の接触バネ部分Ａ，Ａ′間の間隔が変化する方向に対して平行に延びている一対の仕切壁２２，２２′と、第１の接触バネ部分Ａ，Ａ′が変位することによって第１の接触バネ部分Ａ，Ａ′間の間隔が変化する方向に対向する一対の内壁２３，２３′とが形成されている。一対の内壁２３，２３′の間隔は、開口部２０ａから対向側開口部２０ｂ側へ次第に狭まったテーパ形状となっている。
【００２５】
一対の仕切壁２２，２２′には、図１及び図２に示すように、第１の接続対象物７０をコンタクト１０，１０′に接続する前の自然状態（第１の接続対象物７０が第１の収容部２１へ挿入されていない未嵌合状態）にあるときに、第１のストッパー部１４，１４′が当接する第１のストッパー壁部２２ｃ，２２ｃ′が形成されている。ストッパー手段としての第１のストッパー部１４，１４′及び第１のストッパー壁部２２ｃ，２２ｃ′は、第１のストッパー壁部２２ｃ，２２ｃ′に第１のストッパー部１４，１４′を当接させることによって、コンタクト１０，１０′の第１のストッパー部１４，１４′間が狭まる方向へ移動するのを阻止する役目を果す。
【００２６】
さらに、一方のインシュレータ２０の対向側開口部２０ｂの中央から第１の接点部１１，１１′に対して平行な方向には、中央壁部２０ｃが形成されている。この中央壁部２０ｃは、第１の接続対象物７０が開口部２０ａから第１の収容部２１へ挿入されたときに、その最終の挿入操作を所定位置で受ける役目を果す。
【００２７】
他方のインシュレータ３０は、図１に示したように、支点部１３，１３′の他方側端部と、第１の接触バネ部分Ｂ，Ｂ′とを収容し、前面に第２の接続対象物８０を挿抜可能に受け入れる開口部３０ａ及びこの開口部３０ａとは反対側の対向側開口部３０ｂを含む大きな貫通穴となっている第２の収容部３１を有している。
【００２８】
他方のインシュレータ３０には、第２の収容部３１において、第２の接触バネ部分Ｂ，Ｂ′が変位することによって第２の接触バネ部分Ｂ，Ｂ′間の間隔が変化する方向に対して平行に延びている一対の仕切壁３２，３２′と、第２の接触バネ部分Ｂ，Ｂ′が変位することによって第２の接触バネ部分Ｂ，Ｂ′間の間隔が変化する方向に対向する一対の内壁３３，３３′とが形成されている。一対の内壁３３，３３′の間隔は、開口部３０ａから対向側開口部３０ｂ側へ次第に狭まったテーパ形状となっている。
【００２９】
一対の仕切壁３２，３２′には、図１及び図２に示すように、第２の接続対象物８０をコンタクト１０，１０′に接続する前の自然状態（第２の接続対象物８０が第２の収容部３１へ挿入されていない未嵌合状態）にあるときに、第２のストッパー部１５，１５′が当接する第２のストッパー壁部３２ｃ，３２ｃ′が形成されている。ストッパー手段としての第２のストッパー部１５，１５′及び第２のストッパー壁部３２ｃ，３２ｃ′は、第２のストッパー壁部３２ｃ，３２ｃ′に第２のストッパー部１５，１５′を当接させることによって、コンタクト１０，１０′の第２のストッパー部１５，１５′間が狭まる方向へ移動するのを阻止する役目を果す。
【００３０】
さらに、他方のインシュレータ３０の対向側開口部３０ｂの中央から第２の接点部１２，１２′に平行な方向には、中央壁部３０ｃが形成されている。この中央壁部３０ｃは、第２の接続対象物８０が開口部３０ａから第２の収容部３１へ挿入されたときに、その最終の挿入操作を所定位置で受ける役目を果す。
【００３１】
一方及び他方のインシュレータ２０，３０は、互いに対向側開口部２０ｂ，３０ｂ側で合わされている。支点部１３，１３′は、図２に示すように、一方及び他方のインシュレータ２０，３０の対向側開口部２０ｂ，３０ｂ側に形成されているへこみ部２０ｆ，３０ｆに遊嵌状態に保持されている。即ち、支点部１３，１３′は、へこみ部２０ｆ，３０ｆ内で移動可能な遊びをもって嵌め込まれている。
【００３２】
したがって、この実施の形態例においては、図３に示すように、第１の接続対象物７０とコンタクト１０，１０′の第１の接点部１１，１１′とが接続する際には、第１の接点部１１，１１′間が広がる方向へ移動するので、第２の接点部１２、１２′間が狭まる方向へ移動しようとするが、第２の接点部１２、１２′の移動を第２のストッパー部１５，１５′及び第２のストッパー壁部３２ｃ，３２ｃ′によって規制できるように第２の接点部１２，１２′の近傍にストッパー手段を備えた構成となっている。
【００３３】
また、この実施の形態例においては、第２の接続対象物８０をコンタクト１０，１０′に接続する前の自然状態で、第２の接続対象物８０とコンタクト１０，１０′の第２の接点部１２，１２′とを接続する際に、第２の接点部１２，１２′間が広がる方向へ移動するので、第１の接点部１１、１１′間が狭まる方向へ移動しようとするが、第１の接点部１１、１１′の移動を第１のストッパー部１４，１４′及び第１のストッパー壁部２２ｃ，２２ｃ′によって規制できるように第１の接点部１１，１１′の近傍にストッパー手段を備えた構成となっている。
【００３４】
即ち、図４に示すように、第１の接続対象物７０が一方のインシュレータ２０へ嵌合した状態で、第２の接続対象物８０を他方のインシュレータ３０へ嵌合させたときには、第２の接点部１２，１２′の変位が支点部１３、１３′によって第１の接点部１１，１１′の接触力を強めるように働く。
【００３５】
第２のストッパー部１５，１５′及び第２のストッパー壁部３２ｃ，３２ｃ′は、第１の接続対象物７０だけを嵌合した状態で第２の接点部１２，１２′が移動し難いように設けられているものである。第１のストッパー部１４，１４′及び第１のストッパー壁部２２ｃ，２２ｃ′は、第２の接続対象物８０だけを嵌合した状態で第２の接点部１２，１２′が移動し難いようにすることができる。
【００３６】
なお、第１のストッパー部１４，１４′及び第２のストッパー部１５，１５′は、別の部分にあってもよい。また、インシュレータ２０，３０は、挿抜方向で２つに分割されている。この実施の形態例の場合は、支点部１３，１３′は板幅寸法が他の部分に比べて広い板幅寸法になっている。そして、支点部１３，１３′は、幅広形状に形成されているへこみ部２０ｆ，３０ｆに装着され、インシュレータ２０，３０に対して挿抜方向にガタツキをもって遊嵌状態でコンタクト１０，１０′が組み立てられる。
【００３７】
コンタクト１０，１０′の支点部１３，１３′は、コンタクト１０，１０′からの反力を受けるようになっている。第１のストッパー壁部２２ｃ，２２ｃ′間及び第２のストッパー壁部３２ｃ，３２ｃ′間は、幅狭に構成されているので、第１のストッパー部１４，１４′及び第２のストッパー部１５，１５′が内側に入り込むのを押さえている。この部分は、自然状態（未嵌合状態）で第１のストッパー部１４，１４′及び第２のストッパー部１５，１５′から第１のストッパー壁部２２ｃ，２２ｃ′及び第２のストッパー壁部３２ｃ，３２ｃ′へ力を加えていないか、又は僅かに力を加えている状態である。この状態から第１の接続対象物７０を嵌合したのが、先に説明した図３の状態である。
【００３８】
第１の接点部１１，１１′は、第１の接続対象物７０によって互いに離れる方向である外側に押し広げられる。ここで、図２において支点部１３，１３′より下の第２の接点部１２，１２′は、互いに近づく方向である内側に移動しようとするが第２のストッパー部１５，１５′と第２のストッパー壁部３２ｃ，３２ｃ′が互いに干渉するため、第２の接点部１２，１２′の移動は僅かである。この状態でさらに第２の接続対象物８０を嵌合したのが図４の状態である。
【００３９】
図４において明らかなように、第２の接点部１２，１２′は、第２の接続対象物８０によって外側に押し広げられる。このとき、支点部１３，１３′は遊嵌状態であるため（インシュレータ２０，３０に少し逃がしがある）、第１の接点部１１，１１′の接触力は、図３の状態よりも大きくなる。第１の接点部１１，１１′の信頼性を確保するための接触力は、図３の状態で設定しているため、図３の第１の接点部１１，１１′の接触力は従来のコネクタの接触力より大幅に減少させた設定となる。したがって、第１の接続対象物７０の挿入時における挿入力を大幅に減少することができる。
【００４０】
また、コンタクト１０，１０′は、インシュレータ２０，３０への圧入固定部がなく、コンタクト１０，１０′全体をバネとして働かせることができるため、コネクタを少なくとも嵌合方向において短く構成できる。
【００４１】
図５乃至図８は、コネクタの第２の実施の形態例を示している。図９乃至図１１は、コネクタの断面を示している。なお、このコネクタにおいても第１の実施の形態例によって示した第１及び第２の接続対象物７０，８０と同じものを接続するものである。
【００４２】
図５乃至図９を参照して、コネクタは、一対が対向して配置されている導電性のコンタクト４０，４０′と、これらのコンタクト４０，４０′の複数組みを並列に所定間隔に配置させて組み付けた一つのインシュレータ６０とを有している。コンタクト４０，４０′は、導電板を長板形状に打ち抜いた後、曲げ加工を施すことによってクリップ形状に作られている。
【００４３】
一方のコンタクト４０は、第１の接点部４１と、第２の接点部４２と、第１及び第２の接点部４１，４２間に位置している支点部４３と、長手方向の一方端部に形成されている第１のストッパー部４４と、インシュレータ６０に圧入固定される保持部４６と、保持部４６から延長されている第２のストッパー部４５と、第２の接点部４２及び第２のストッパー部４５を接続している略Ｕ字形状の曲げ部４７とを有している。
【００４４】
保持部４６は、第１のストッパー部４４及び第１の接点部４１に対向して位置している。第２の接点部４２は、第２のストッパー部４５に対向して位置されている。
【００４５】
第１の接点部４１は、図１０及び図１１に示した第１の接続対象物７０と接続する部分である。第２の接点部４２は、図１１に示した第２の接続対象物８０と接続する部分である。
【００４６】
他方のコンタクト４０′は、第１の接点部４１′と、第２の接点部４２′と、第１及び第２の接点部４１′，４２′間に位置している支点部４３′と、長手方向の一方端部に形成されている第１のストッパー部４４′と、インシュレータ６０に圧入固定される保持部４６′と、保持部４６′から延長されている第２のストッパー部４５′と、第２の接点部４２′及び第２のストッパー部４５′を接続している略Ｕ字形状の曲げ部４７′とを有している。
【００４７】
保持部４６′は、第１のストッパー部４４′及び第１の接点部４１′に対向して位置されている。第２の接点部４２′は、第２のストッパー部４５′に対向して位置している。
【００４８】
第１の接点部４１′は、図１０及び図１１に示した第２の接続対象物８０と接続する部分である。第２の接点部４２′は、図１１に示した第２の接続対象物８０と接続する部分である。
【００４９】
第１の実施の形態例におけるコネクタでは、図１に示したように、長手方向で若干の寸法が異なるものの、コンタクト４０，４０′が略同じ形状に作られている。そして、コンタクト４０，４０′がインシュレータ６０に組み付けられている状態では、第１の接点部４１，４１′、支点部４３，４３′及び第１及び第２のストッパー部４４，４４′，４５，４５′が上下方向で少し位置ずれした形状関係となるように配置されている。
【００５０】
第１の接点部４１，４１′位置間の対向間隔、及び第２の接点部４２，４２′の対向間隔は略同等の寸法で配置されており、対向しているコンタクト４０，４０′間では最も狭い間隔となっている。
【００５１】
また、コンタクト４０，４０′の支点部４３，４３′が上下方向で少し位置ずれして配置されており、支点部４３，４３′間の対向間隔は第１の接点部４１，４１′間の対向間隔、及び第２の接点部４２，４２′の対向間隔よりもかなり大きい間隔の寸法で配置されている。
【００５２】
第１のストッパー部４４，４４′間の対向間隔は、第１の接点部４１，４１′間の対向間隔、及び第２の接点部４２，４２′の対向間隔よりも大きい寸法となっている。第２のストッパー部４５，４５′間の対向間隔は、支点部４３，４３′間の対向間隔よりも大きい寸法となっている。
【００５３】
さらに、第１のストッパー部４４，４４′、第２のストッパー部４５，４５′のそれぞれの板幅寸法が、第１及び第２の支点部４３，４３′の板幅寸法よりも大きい幅寸法となっている。
【００５４】
また、第１の接点部４１，４１′を有する支点部４３，４３′から第１のストッパー部４４，４４′までの板幅寸法は、第１のストッパー部４４，４４′の板幅寸法よりも狭い板幅寸法となっている。同様に、第２の接点部４２，４２′を有する支点部４３，４３′から第２のストッパー部４５，４５′までの板幅寸法は、第２のストッパー部４５，４５′の板幅寸法よりも狭い板幅寸法となっている。
【００５５】
ここで、コンタクト４０，４０′の第１のストッパー部４４，４４′から保持部４６，４６′との接続部分までは、バネ性をもって変位可能な第１の接触バネ部分Ａ，Ａ′を構成している。
【００５６】
インシュレータ６０は、図９に示したように、コンタクト４０，４０′を収容し、上面に第１の接続対象物７０を挿抜可能に受け入れる開口部６０ａが形成されており、この開口部６０ａとは反対側である下面に対向側開口部６０ｂが形成されて大きな貫通穴となっている収容部６１を有している。
【００５７】
収容部６１には、接触バネ部分Ａ，Ａ′が変位することによって接触バネ部分Ａ，Ａ′間の間隔が変化する方向に対して平行に延びている一対の仕切壁６２，６２′と、接触バネ部分Ａ，Ａ′が変位することによって接触バネ部分Ａ，Ａ′間の間隔が変化する方向に対向する一対の内壁６３，６３′とが形成されている。一対の内壁６３，６３′の間隔は、収容部６１に下部分において開口部６０ａ側から対向側開口部６０ｂ側へ次第に狭まったテーパ形状となっている。
【００５８】
一対の仕切壁６２，６２′の上部には、第１の接続対象物７０をコンタクト４０，４０′に接続する前の自然状態（第１の接続対象物７０が収容部６１へ挿入されていない未嵌合状態）にあるときに、第１のストッパー部４４，４４′が当接する第１のストッパー壁部６１ｃ，６１ｃ′が形成されている。ストッパー手段としてのコンタクト４０，４０′の第１のストッパー部４４，４４′及び第１のストッパー壁部６１ｃ，６１ｃ′は、第１のストッパー壁部６１ｃ，６１ｃ′に第１のストッパー部４４，４４′を当接させることによって、コンタクト１０，１０′の第１のストッパー部４４，４４′間が狭まる方向へ移動するのを阻止する役目を果す。
【００５９】
さらに、インシュレータ６０の収容部６１には、その中央の上下に中央壁部６０ｃが形成されている。この中央壁部６０ｃは、第１及び第２の接続対象物７０，８０が開口部６０ａ及び対向開口部６０ｂから収容部６１へ挿入されたときに、その最終の挿入操作を所定位置で受ける役目を果す。
【００６０】
支点部４３，４３′は、収容部６１に遊嵌状態に位置している。
【００６１】
また、この実施の形態例においては、一対の仕切壁６２，６２′の下部には、第２の接続対象物８０をコンタクト４０，４０′に接続する前の自然状態（第２の接続対象物８０が収容部６１へ挿入されていない未嵌合状態）にあるときに、第２のストッパー部４５，４５′が当接している第２のストッパー壁部６２ｃ，６２ｃ′が形成されている。ストッパー手段としてのコンタクト４０，４０′の第２のストッパー部４５，４５′は、第２のストッパー壁部６２ｃ，６２ｃ′に第２のストッパー部４４，４５′を当接させることによって、コンタクト１０，１０′の第２のストッパー部４５，４５′間が狭まる方向へ移動するのを阻止する役目を果す。
【００６２】
さらに、図１０に示すように、第２の接続対象物８０をコンタクト１０，１０′に接続する前の自然状態で、第１の接続対象物７０とコンタクト４０，４０′の第１の接点部４１，４１′とを接続する際には、第１の接点部４１，４１′間が広がる方向へ移動するので、第２の接点部４２、４２′間が互いに狭まる方向へ移動しようとするが、第２の接点部４２、４２′の移動を第２のストッパー部４５，４５′及び第２のストッパー壁部６２ｃ，６２ｃ′によって移動を規制できるように第２の接点部４５，４５′の近傍にストッパー手段を備えた構成となっている。また、第１の接続対象物７０をコンタクト１０，１０′に接続する前の自然状態で、第２の接続対象物８０とコンタクト４０，４０′の第２の接点部４２，４２′とを接続する際には、第２の接点部４２，４２′間が広がる方向へ移動するので、第１の接点部４１、４１′が互いに狭まる方向へ移動しようとするが、第１のストッパー部４４，４４′及び第１のストッパー壁部６１ｃ，６１ｃ′によって移動を規制できるように、第１のストッパー壁部６１ｃ，６１ｃ′及び第２のストッパー部４４，４４′を第１の接点部４１，４１′の近傍にストッパー手段を備えた構成となっている。
【００６３】
図１１に示すように、第１の接続対象物７０がインシュレータ６０へ嵌合した状態で、第２の接続対象物８０をインシュレータ６０へ嵌合させたときには、第２の接点部４２，４２′の変位が支点部４３、４３′によって第１の接点部４１，４１′の接触力を強めるように働く。
【００６４】
第２のストッパー部４５，４５′は、第１の接続対象物７０だけを嵌合した状態で第２の接点部４２，４２′が移動し難いように設けられているものである。第１のストッパー部４４，４４′は、第２の接続対象物８０だけを嵌合した状態で第２の接点部４２，４２′が移動し難いようにすることができる。
【００６５】
コンタクト４０，４０′の支点部４３，４３′は、コンタクト４０，４０′からの反力を受けるようになっている。第１のストッパー壁部６１ｃ，６１ｃ′間は、幅狭に構成されているので、第１のストッパー部４４，４４′が内側に入り込むのを押さえている。この部分は、自然状態（未嵌合状態）で第１のストッパー部４４，４４′及び第２のストッパー部４５，４５′から第１のストッパー壁部４２ｃ，４２ｃ′に力を加えていないか、又は僅かに力を加えている状態である。この状態から第１の接続対象物７０を嵌合したのが、先に説明した図１０の状態である。
【００６６】
第１の接点部４１，４１′は、第１の接続対象物７０によって互いに離れる方向である外側に押し広げられる。ここで、図１０において支点部４３，４３′より下の第２の接点部４２，４２′は、互いに近づく方向である内側に移動しようとするが第２のストッパー部４５，４５′が互いに干渉するため、接点部４２，４２′の移動は僅かである。
【００６７】
コンタクト４０，４０′の支点部４３，４３′は、第１の接続対象物７０が嵌合する時に保持部４６，４６′の部分に当接する。支点部４３，４３′からの力は、コンタクト４０，４０′自身が受ける。但し、この力は支点部４３，４３′を介しインシュレータ６０が受けることになる。第１の接続対象物７０及び第２の接続対象物８０両方を接続したときは、第１の実施の形態例と同じであり、第１の接点部４１，４１′の接触力は図１０の状態よりも図１１の状態のほうが大きくなる。
【００６８】
図１０の状態から図１１の状態における第２の接続対象物８０を嵌合したときには、図１１において明らかなように、第２の接点部４２，４２′が、第２の接続対象物８０によって外側に押し広げられる。このとき、支点部４３，４３′は遊嵌状態であるため、第１の接点部４１，４１′の接触力は、図１０の状態よりも大きくなる。したがって、第１及び第２の接点部４１，４１′，４２，４２′の信頼性を確保するための接触力は、従来のコネクタの接触力より大幅に減少させた設定となる。よって、第１の接続対象物７０の挿入時における挿入力を大幅に減少する。
【００６９】
また、コンタクト４０，４０′は、インシュレータ６０へ圧入されている保持部４６，４６′の部分以外をバネとして働かせることができるため、コネクタ形状が嵌合方向に短い構成となる。
【００７０】
なお、コンタクト４０，４０′は、上下対称ではないが第１の接続対象物７０，第２の接続対象物８０の挿入順序が逆でも同様な効果がでる。この実施の形態例は、第１及び第２の接点部４１，４１′，４２，４２′の位置の違う２種類のコンタクト４０，４０′を交互に並べ、挿入力を下げてる。なお、コンタクト４０，４０′は、インシュレータ６０へ上から組み込まれる。コンタクト４０，４０′は第２のストッパー部４５の部分が接触バネ部Ａ，Ａ′よりも板幅が広くなっている。
【００７１】
図１２及び図１３は、図３に示した第１の接続対象物７０を示している。第１の接続対象物７０には、その端辺の両面に複数の導電部７２が所定のピッチ間隔で設けられており、第１の接点部１１，１１′若しくは４１，４１′に接続する。図１４及び図１５は、第２の接続対象物８０を示している。第２の接続対象物８０には、その端辺の両面に複数の導電部７２が所定のピッチ間隔で設けられており、第２の接点部１２，１２′若しくは４２，４２′に接続する。
【００７２】
【発明の効果】
以上説明したように、本発明のコネクタによれば、コンタクトの支点部がインシュレータに遊嵌状態に設けられており、第２の接点部の移動を第２のストッパー部及び第２のストッパー壁部によって規制できるように、第２の接点部の近傍に備え、第１の接点部の移動を第１のストッパー部及び第１のストッパー壁部によって規制できるように第１の接点部の近傍に備え、第２の接点部が第２の接続対象物によって外側に押し広げられ、支点部が遊嵌状態であるため第１の接点部の接触力は大きくなり、第１の接点部の接触力が従来のコネクタの接触力より大幅に減少させた設定となる。したがって、第１の接続対象物の挿入時における挿入力を大幅に減少することができる。
【００７３】
また、第１の実施の形態例によって説明したコネクタのコンタクトは、インシュレータへの圧入固定部がなく、コンタクト全体をバネとして働かせることができるため、形状全体を嵌合方向に短く構成できる。
【００７４】
さらに、ストッパー部により第２の接点部が対向間で干渉するのを防ぐことができ、第２の接続対象物の挿入力が上がらないようにできる。
【図面の簡単な説明】
【図１】  本発明のコネクタにおける第１の実施の形態例を示す断面図である。
【図２】  図１に示したコネクタのＩＩ−ＩＩ線断面図である。
【図３】  図１に示したコネクタに第１の接続対象物を嵌合した状態を示す断面図である。
【図４】  図２に示したコネクタに第２の接続対象物を嵌合した状態を示す断面図である。
【図５】  本発明の第２の実施の形態例におけるコネクタの外観を示す正面図である。
【図６】  図５に示したコネクタの平面図である。
【図７】  図５に示したコネクタの背面図である。
【図８】  図６に示したコネクタの側面図である。
【図９】  図６に示したコネクタのＩＸ−ＩＸ線断面図である。
【図１０】  図９に示したコネクタに第１の接続対象物を嵌合した状態を示す断面図である。
【図１１】  図１０に示したコネクタに第２の接続対象物を嵌合した状態を示す断面図である。
【図１２】  図３に示した第１の接続対象物の平面図である。
【図１３】  図１２に示した第１の接続対象物のＸＩＩ−ＸＩＩ線断面図である。
【図１４】  図４に示した第２の接続対象物の平面図である。
【図１５】  図１４に示した第２の接続対象物の側面図である。
【図１６】  従来のコネクタを説明するための斜視図である。
【図１７】  図１６に示したコネクタの断面図である。
【符号の説明】
１０，１０′，４０，４０′    コンタクト
１１，１１′，４１，４１′    第１の接点部
１２，１２′，４２，４２′    第２の接点部
１３，１３′，４３，４３′    支点部
１４，１４′，４４，４４′    第１のストッパー部
１５，１５′，４５，４５′    第２のストッパー部
２０，３０，６０    インシュレータ
２０ｆ，３０ｆ    へこみ部
２１    第１の収容部
２２ｃ，２２ｃ′，６１ｃ，６１ｃ′    第１のストッパー壁部
３０ａ    開口部
３０ｂ    対向側開口部
３１    第２の収容部
３２，３２′，６２，６２′    仕切壁
３２ｃ，３２ｃ′，６２ｃ，６２′    第２のストッパー壁部
３３，３３′    内壁
４６，４６′    保持部
４７，４７′    曲げ部
６１    収容部
７０    第１の接続対象物
８０    第２の接続対象物
１１１    コネクタボディ
１１３，１１３′      接触端子
１１１ａ，１１１ｂ      開口部
１１３ａ，１１３ａ′      保持部
１１８ａ，１１８ｂ      プリント配線板
１１４ａ，１１４ｂ，１１４ａ′，１１４ｂ′      ばね性部
【図１】
0003677594.tif 000002
【図２】
0003677594.tif 000003
【図３】
0003677594.tif 000004
【図４】
0003677594.tif 000005
【図５】
0003677594.tif 000006
【図６】
0003677594.tif 000007
【図７】
0003677594.tif 000008
【図８】
0003677594.tif 000009
【図９】
0003677594.tif 000010
【図１０】
0003677594.tif 000011
【図１１】
0003677594.tif 000012
【図１２】
0003677594.tif 000013
【図１３】
0003677594.tif 000014
【図１４】
0003677594.tif 000015
【図１５】
0003677594.tif 000016
【図１６】
0003677594.tif 000017
【図１７】
0003677594.tif 000018